(57)【要約】【課題】雨水を利用して、緑化資材の生育に必要な水を供給でき、日照も十分に得られる壁面の緑化工法と緑化資材を提供する。を提供する。【解決手段】パネルに凸部を複数形成させて壁体の表面に取り付け、該パネル表面に植物を植生させ、その植物を親水材に植生させて蘇苔類植物とし、凸部を山形状にすることで、雨水を効率的に表面の植物全体に行き渡らせることが出来る。　また、植物を植生したパネルと壁体の間に空間を設け、空間と連通する多数の開口部を穿設し、空間部に保水材を設けるとともに、パネルの上端に薄いの取り入れ口を設けることで、雨水を保水材に蓄えて、無降雨期間に徐々に蓄積した水を蒸散させることができ、植物の生育を促すことができる。　また、植物を植生した表面の基材に、斜め上向きに立ち上がった突起物を設けることにより、突起物に雨水を伝わらせることで、効率的に表面の植物に雨水を供給することができる。【選択図】　　　図６
2004049064.tif 000002
【特許請求の範囲】
【請求項１】
壁体の前面に、上下方向に凸部を複数形成したパネルを取付け、該パネルに植物を植生させたことを特徴とする壁面への緑化工法。
【請求項２】
パネルの表面に親水材を被着するとともに該親水材に蘇苔類植物を植生することを特徴とする請求項１に記載の壁面の緑化工法。
【請求項３】
凸部は山形状であることを特徴とする請求項１または２に記載の壁面への緑化工法。
【請求項４】
パネルは、山形状に形成したパネルユニットを複数段積み重ねて形成したものであることを特徴とする請求項３に記載の壁面への緑化工法。
【請求項５】
山形状の凸部を形成する下向き傾斜面は、鉛直面と成す角度が５５度以下であることを特徴とする請求項３または４に記載の壁面への緑化工法。
【請求項６】
凸部は、下方に行くにしたがい、前面に張り出していることを特徴とする請求項１〜５にのいずれか１項に記載の壁面への緑化工法。
【請求項７】
パネルと壁体との間に空間部を形成すると共に前記空間部に連通する多数の開口部をパネルに穿設し、前記空間部に保水材を内装したことを特徴とする請求項１〜６のいずれか１項に記載の壁面の緑化工法。
【請求項８】
パネルの上端面に、雨水をパネルと壁体との間の空間部に取り込むための取水口を設けたことを特徴とする請求項７に記載の壁面の緑化工法。
【請求項９】
基材と、その表面に植生された植物と、基材表面に設けられた斜め上向きに立ち上がる突起物とを備えた緑化資材を、壁体の前面に取り付けたことを特徴とする壁面への緑化工法。
【請求項１０】
緑化資材は、基材に親水材が被着されると共に該親水材に蘇苔類植物が植生されたことを特徴とする請求項９に記載の壁面への緑化工法。
【請求項１１】
基材は、上下方向に山形部が複数形成され、該山形部の上向き傾斜面に斜め上向きに立ち上がる突起物が設けられたことを特徴とする請求項９または１０に記載の壁面への緑化工法。
【請求項１２】
上下方向に山形部を複数形成したパネルと、該パネルの表面に被着された親水材と、その親水材に植生された蘇苔類植物とを備えたことを特徴とする緑化資材。
【請求項１３】
基材と、その表面に植生された植物と、基材表面に設けられた斜め上向きに立ち上がる突起物とを備えたことを特徴とする緑化資材。
【発明の詳細な説明】
【０００１】
【発明の属する技術分野】
本発明は、建造物や道路構造物の壁面を植物により緑化するために、好適に用いることが出来る緑化工法に関するものである。
【０００２】
【従来の技術】
建造物や道路構造物などを植物によって緑化することにより、夏場のヒートアイランド現象を緩和したり、自動車排ガスなどの汚染大気を浄化する方法が提案されている。植物はまた、美観を保つのにも好適であり、例えば都会のビル壁や道路の防音壁などの無機的な壁を緑化することにより、通行人やドライバーへの圧迫感が緩和される効果もある。
【０００３】
緑化が考えられる部位としては、建造物の屋上や壁面、道路構造物などの壁面が考えられる。特に壁面の緑化は様々なものに適用できるため、ヒートアイランド現象や大気汚染の緩和に特に有効と考えられる。また、壁面を緑化することで、これまでの無機的な道路や町並みの美観的も改善できる。
【０００４】
壁面への緑化は、これまでに、植栽桝を壁に設置する方法や、特開２００１−３２０９６８号に示されるような壁面に簡単に敷設できる緑化パネルを用いる方法などが提案されている。
【０００５】
【発明が解決しようとする課題】
しかしながら、緑化資材を壁面に単に設置しただけでは、植物の生育に必要な日照や雨水が十分に当たりにくい。生育に必要な水を供給するために、灌漑施設を設けてもよいが、設備費用やランニングコストがかかり、メンテナンスも必要であるため、経済的に好ましいとは言えない。
【０００６】
そこで本発明は上記の如き問題点に鑑みてなされたものであり、植物の育成に必要な水を雨水によって効率的に供給できる壁面の緑化工法および緑化資材を供給せんとするものである。
【０００７】
【課題を解決するための手段】
上記目的を達成するために、本発明は次のような構成としている。すなわち、壁体の前面に、上下方向に凸部を複数形成したパネルを取付け、該パネルに植物を植生させたことを特徴とするものである。
【０００８】
壁体の前面に、上下方向に凸部を複数形成させ、凸部に植物を植生させておけば、降雨時に雨水が効率よく凸部分に当たる。パネルの材質は、特に限定されるものではないが、アルミなどの金属やポリカーボネート樹脂などが好適である。パネルを取り付ける壁体は、壁状の物であれば特に限定される物ではなく、建造物の壁でもよいし、道路構造物の壁面でも良い。また、垂直面でも良いし傾斜面でもよい。道路構造物の壁面は、例えばコンクリート等の擁壁、防音壁や遮音壁、壁高欄、堀割道路の壁面、高架橋の橋脚、中央分離帯などが挙げられる。パネルの表面には、植物を担持させるための担持体が設けられ、植物が植生される。ここで用いられる植物は、このようなスペースに植生できる小型の植物ならば、特に限定されるものではないが、蘇苔類やセダム類、ハーブ類などが好適である。
【０００９】
凸部の形状は、特に限定されるものではないが、例えばスリット形状のような断続面が複数形成されていてもよいし、山形状のような連続的な面が形成されていてもよい。
【００１０】
また、パネルの表面に親水材を被着するとともに該親水材に蘇苔類植物を植生することを特徴とするものである。
【００１１】
蘇苔類植物は殆ど土壌を必要とすることがなく、パネル表面に植生させるには好適である。また、乾燥状態が長期に渡っても仮死状態となるだけで、枯死することがなく、再度水が与えられれば、再生することができる。蘇苔類植物は光合成の効率も樹木や芝生などと大差ないことから、炭酸ガスの固定化や大気浄化にも適している。さらには、保水性も高く、ヒートアイランド現象の緩和にも高い効果が期待できる。
【００１２】
また、蘇苔類には大きく分けて、好日性、半日陰性、日陰性のものがあり、それぞれ生育に太陽光が必要なもの、太陽光があまり必要でないもの、太陽光が不要なものがある。例えば、設置方向の関係で太陽光が当たらない場所や、当たりにくい場所には、日陰性、半日陰性の蘇苔類植物を用いると良い。また、凸部の下向き斜面など、部分的に日が当たらないような設置場所においても、上向き面には、好日性のものを用い、下向き斜面には日陰性や半日陰性のものを用いればよい。
【００１３】
予め蘇苔類植物をシート状やマット状の蘇苔類植物担持体とし、該担持体をパネル表面に取り付ければ、容易にパネル表面に植生させることができる。
【００１４】
また、パネル表面に親水材を被着させておけば、少量の降雨でも表面にまんべんなく水を行き渡らせることができるとともに、保水性も向上する。さらには、凸部の形状が連続的な山形となっており、直接雨が当たらない面がある場合でも、直接雨が当たる部分から容易にパネル表面を伝わって、パネル表面全体にまんべんなく水が供給される。
【００１５】
また、凸部は山形状であることを特徴とするものである。山形状になっていることにより、山形状の上向き面には、降雨時に雨がかかりやすく、植物の生育に必要な水を自然の降雨で賄うことが出来る。また、上向面にかかった雨は、山形の形状を伝って、下向き傾斜面にも雨水が供給されるため、直接雨がかからない下向き部分にも植物の生育に必要な水が自然に供給される。
【００１６】
山の形状は、特に限定されるものではく、断面が三角状、半円状、四角状、台形状などであってよく、同一の形状が複数形成されていてもよいし、複数の形状が組み合わされていてもよい。また、山形状の凸部は、連続して設けられているとよい。
【００１７】
また、パネルは、山形状に形成したパネルユニットを複数段積み重ねて形成したものであることを特徴とするものである。一つまたは複数の山形部を有するパネルユニットを、複数積み重ねることで連続凸部を有するパネルを形成させれば、施工が容易となるとともに、何らかの事情で、一部に不具合が生じたときでも、全てのパネルを取り替える必要がなく、問題のあるユニット部分だけ取り替えればよい。
【００１８】
また、山形状の凸部を形成する下向き傾斜面は、鉛直面と成す角度が５５度以下であることを特徴とするものである。下向き面は雨や太陽光が直接当たりにくい。鉛直面と下向き面とがなす角度が大きいと、上向き面から伝い降りてきた雨水が、下向き面表面に浸透せずに、水滴となり下部へ落下してしまう可能性がある。また、角度が大きいと太陽光も当たりにくい。逆に角度が過度に小さいと、下向き傾斜面の面積が大きくなるため好ましくない。好ましくは下向き傾斜面が鉛直面となす角度が、５０度程度が良い。断面が円状である場合でも、下向き面の法面と鉛直面とのなす角度が、５５度以下となされていることが好ましい。
【００１９】
また、凸部は、下方に行くにしたがい、前面に張り出していることを特徴とするものである。このようになされていれば、下の方にも一様に雨が当たり、植物の生育が均一となる。
【００２０】
また、パネルと壁体との間に空間部を形成すると共に前記空間部に連通する多数の開口部をパネルに穿設し、前記空間部に保水材を内装していることを特徴とするものである。パネルの表面に降った雨は、植物の生育に使われるが、全てが使用されるわけではなく、余剰の水は、蒸発するに任せていた。この余剰な水を、パネルの開口部から空間部に取り入れて、内装された保水材に保持させることで、降雨がない期間でも、保水材から開口部を通って水が植物表面へ蒸散することによって、植物近辺の雰囲気を湿潤状態に保つことが出来、植物の生育を促すことができる。
【００２１】
保水材の種類は特に限定されるものではなく、スポンジ、砂利や砂等の粒子状物質、グラスウールや合成繊維などの繊維状物質、シリカゲルや活性炭やゼオライトのような多孔質体、吸水性ポリマーなどが用いられてよい。また、保水材は、出来るだけ表面近くに設けられていると、効率的に植物雰囲気を湿潤状態にすることができるので好ましく、例えばパネルの裏側に貼り付けられていてもよい。また、場合によっては保水材の裏側にスペーサーを設けて、保水材をパネル裏面に出来るだけ近づけるようにしてあってもよい。
【００２２】
また、パネルの上端面に、雨水をパネルと壁体との間の空間部に取り込むための取水口を設けたことを特徴とするものである。上端面に取水口を設けることにより、降雨時に、雨が取り込みやすく、容易に内部へ水を取り込むことができる。取り込まれた水は保水材に吸収され、蓄えられる。
【００２３】
またさらには、基材と、その表面に植生された植物と、基材表面に設けられた斜め上向きに立ち上がる突起物とを備えた緑化資材を、壁体の前面に取り付けたことを特徴とするものである。基材に植生される植物は、特に限定されるものではなく、このようなスペースに植生できる小型の植物ならば、特に限定されるものではないが、蘇苔類やセダム類、ハーブ類などが好適である。
【００２４】
壁体にこのような基材を取り付けた場合、表面に植生されている植物には、雨があたりにくいが、斜め上向きに立ち上がる突起物を基材に取り付ければ、降雨時に雨が前記突起物にあたり、突起物を伝って雨水が基材表面の植物に行き渡る。該突起物は、棒状のものでもよく、板状のものでもよいが、植物への日照を妨げない程度が好ましい。
【００２５】
また、緑化資材は、基材に親水材が被着されると共に該親水材に蘇苔類植物が植生されたことを特徴とするものである。前述のように、蘇苔類植物は殆ど土壌を必要とせず、生命力も強く、光合成効率や保水性も高いため、緑化資材としては好適である。また、親水材を被着するにより、基材の表面全体にまんべんなく水を行き渡らせることでき、保水性も向上することができる。
【００２６】
また、基材は、上下方向に山形部が複数形成され、該山形部の上向き傾斜面に斜め上向きに立ち上がる突起物が設けられたことを特徴とするものである。基材を山形状にする事によって、山形の上向き面には、雨があたりやすいが、上向き傾斜面に、突起物を取り付けることで、さらに雨水を効率的に集めて表面に導き、植物の育成を助けることができる。上向き傾斜面で集めた水は、表面を伝わり、下向きの傾斜面にも供給される。
【００２７】
山の形状は、特に限定されるものではく、断面が三角状、半円状、四角状、台形状などであってよく、同一の形状が複数形成されていてもよいし、複数の形状が組み合わされていてもよい。また、山形状の凸部は、連続して設けられているとよい。
【００２８】
【発明の実施の形態】
本発明の実施の形態について、図面に基づき以下に具体的に説明する。図１および図２は、本発明に係わる壁面の緑化工法の実施形態の例を示したものである。図１では、壁体１の前面に、スリット状の凸部２ａを複数形成させ、スリット上の凸部上に植物３を植生させている。スリット状の凸部は、すべて同一でもよいが、下に行くにしたがい前面に張り出すようにすると、下方の凸部上向き面にも雨が十分に当たるようにできる。
【００２９】
図２では、壁体１の前面に、山形状の凸部２ｂを連続的に複数形成させ、山形状の凸部の上向き傾斜面と、下向き傾斜面それぞれに、植物を植生させている。山形状の凸部は、図２のように下方に行くにしたがい、前面へ張り出すようにすると、下方の上向き面にも、雨が十分に当たるようにできる。
【００３０】
壁体の前面に取り付ける凸状のパネル２の素材は、アルミなどの金属素材や、ポリカーボネートなどの樹脂素材を使用することができる。また、パネル表面に植生する植物としては、例えばセダム類やハーブ類、蘇苔類などの植物が用いられる。パネル表面に植物を植生する場合、植生するための、植物担持体を表面に設け、担持体に植生させればよい。また、蘇苔類を用いる場合は、例えば図３に示す、蘇苔類植物を担持したシートをパネル表面に貼り付ければ、容易にパネル表面に植物を植生させることができる。
【００３１】
図３は、蘇苔類植物を担持したシートの一例であって、不織布材料３ａ１に接着材層３ａ２を設け、接着材層３ａ２上に蘇苔類植物３ａ３を置き、さらに不織布３ａ４で上部から覆っている蘇苔類担持シートである。
【００３２】
図４は、図２に示された実施形態の断面図であり、また図５は断面図の表面を拡大した図である。壁体１の前面に、山形状の凸部２ｂを連続的に複数形成させ、山形状の凸部の上向き傾斜面２ｂ１と、下向き傾斜面２ｂ２にパネル表面に親水材３１を被着し、蘇苔類植物担持シート３ａを設けている。
【００３３】
また、図２および図４に示される山形形状の凸部２ｂは、それぞれの山形状凸部が独立ユニットで形成されており、施工や取り替えが、容易である。
【００３４】
図５において、山形状の凸部の下向き傾斜面２ｂ２と鉛直面との成す角度ａは、５５度以下となるように成されている。角度ａを変化させて、上向き傾斜面２ｂ１に降り注いだ雨が、下向き傾斜面に伝わる状況を試験した。
【００３５】
【実施例】
2004049064.tif 000003
実施例に示されているように、角度ａが５５度以下であれば、降雨時に上向き傾斜面２ｂ１に降った雨が、表面を伝って下向き傾斜面２ｂ２にまで、良好に行き渡り、表面の植物にまんべんなく水が供給される。逆に５５度以上であると、下向き傾斜面２ｂ２に浸透せずに水滴となり、下方へ落下してしまう場合がある。
【００３６】
また図６も、本発明の実施形態の一例の断面図である。パネル２と壁体１との間には空間部４１が形成され、空間部４１に連通する開口部４２が穿設されている。空間部４１には保水材４３が内装されており、降雨時の余剰の水が、パネルに穿設された開口部４２や、パネル上端に設けられた取水口４４などから、空間部４１へ導入され、保水材４３へ蓄えられる。蓄えられた水分は、無降雨期間に開口部４２から徐々に蒸散し、植物表面を湿潤状態に保つことができる。したがって、保水材４３は出来るだけ植物に近い位置に設けられるほうが好ましく、保水材と壁体との間にスペーサー４５を設けるなどするとよい。
【００３７】
図７および図８は、本発明の緑化工法の実施形態の例である。緑化資材５は、基材５１の表面に植物５３が植生されるとともに、斜め上向きに立ち上がる突起物５２ａまたは５２ｂが備わっており、この緑化資材５が壁体１に取り付けられている。図７では棒状の突起物５２ａが基材５１に備えられており、図８では板状の突起物５２ｂが基材５１に取り付けられている。
【００３８】
また、基材表面の植物には、図４または図５と同様に、基材に親水材が被着されるとともに、親水材に蘇苔類植物が植生されているとよく、蘇苔類植物担持シートを用いると良い。
【００３９】
図９は、図７及び図８に示された実施例の断面図である。基材５１の表面には親水材３１と蘇苔類植物担持シート３ａと、斜め上向きに立ち上がる突起物５２を備えている。雨が降ると、雨が突起物５２にあたり突起物５２を伝って、基材５１の表面の植物３ａに雨水が供給される。したがって、例えば基材を垂直壁面に設置する場合でも、表面の植物に雨水を供給することが出来る。
【００４０】
また図１０も、実施形態の一例の断面図である。図１０のように基材５１は、上下方向に複数の山形部が形成されいてもよく、上向き傾斜面５１１に突起物５２が設けられることによって、降雨時に雨が突起物５２を伝って基材表面の植物に効率良く供給される。
【００４１】
【発明の効果】
本発明によれば、パネルに凸部を複数形成させて壁体の表面に取り付け、該パネル表面に植物を植生させ、その植物を親水材に植生させて蘇苔類植物とし、凸部を山形状にすることで、雨水を効率的に表面の植物全体に行き渡らせることが出来る。
【００４２】
また、植物を植生したパネルと壁体の間に空間を設け、空間と連通する多数の開口部を穿設し、空間部に保水材を設けるとともに、パネルの上端に薄いの取り入れ口を設けることで、雨水を保水材に蓄えて、無降雨期間に徐々に蓄積した水を蒸散させることができ、植物の生育を促すことができる。
【００４３】
また、植物を植生した表面の基材に、斜め上向きに立ち上がった突起物を設けることにより、突起物に雨水を伝わらせることで、効率的に表面の植物に雨水を供給することができる。
【図面の簡単な説明】
【図１】本発明に係わる実施の一形態を示す斜視図である。
【図２】本発明に係わる実施の一形態を示す斜視図である。
【図３】本発明に係わる植物を担持したシートの一例である。
【図４】本発明に係わる実施の一形態を示す断面図である。
【図５】本発明に係わる実施の一形態を示す断面の拡大図である。
【図６】本発明に係わる実施の一形態を示す断面図である。
【図７】本発明に係わる実施の一形態を示す斜視図である。
【図８】本発明に係わる実施の一形態を示す斜視図である。
【図９】本発明に係わる実施の一形態を示す断面図である。
【図１０】本発明に係わる実施の一形態を示す断面図である。
ａ　　角度
ｂ１　降雨
ｂ２　水
１　　壁体
２　　パネル
２ａ　スリット状凸部
２ｂ　山形状凸部
２ｂ１山形状凸部上向き傾斜面
２ｂ２山形状凸部下向き傾斜面
３　　植物
３ａ　蘇苔類植物担持シート
３ａ１不織布材料
３ａ２接着材層
３ａ３蘇苔類植物
３ａ４不織布材料
３ａ１不織布材料
３１　親水材
４１　空間部
４２　開口部
４３　保水材
４４　取水口
４５　スペーサー
５１　基材
５１ｂ１基材上向き傾斜面
５２　突起物
５２ａ棒状突起物
５２ｂ板状突起物
【図１】
2004049064.tif 000004
【図２】
2004049064.tif 000005
【図３】
2004049064.tif 000006
【図４】
2004049064.tif 000007
【図５】
2004049064.tif 000008
【図６】
2004049064.tif 000009
【図７】
2004049064.tif 000010
【図８】
2004049064.tif 000011
【図９】
2004049064.tif 000012
【図１０】
2004049064.tif 000013